(57)【要約】【課題】液体を正確に計量することができ、かつ、使用後の洗浄が容易な液体計量装置を提供する。【解決手段】下端３を開口したシリンダ１内にピストン５を摺嵌し、該シリンダの下端に容器１３の上端１５を着脱自在に嵌着し、該容器は該上端１５を開口すると共に下端に吸排口１７を備え、該シリンダにはピストンの上昇限界を設定するストッパ１９を設け、該シリンダにはピストンが該上昇限界に達したときにピストンの位置が「０」になり、「０」から下方に向かって順次数字が大きくなるように目盛２１を表示したことを特徴とする液体計量装置。【選択図】図１
2008122229.tif 000002
【特許請求の範囲】
【請求項１】
下端を開口したシリンダ内にピストンを摺嵌し、該シリンダの下端に容器の上端を着脱自在に嵌着し、該容器は該上端を開口すると共に下端に吸排口を備え、該シリンダにはピストンの上昇限界を設定するストッパを設け、該シリンダにはピストンが該上昇限界に達したときにピストンの位置が「０」になり、「０」から下方に向かって順次数字が大きくなるように目盛を表示したことを特徴とする液体計量装置。
【請求項２】
下端を開口したシリンダ内にピストンを摺嵌し、該シリンダの下端に容器の上端を着脱自在に嵌着し、該容器は該上端を開口すると共に下端に吸排口を備え、該シリンダにはピストンの上昇限界を設定するストッパを設け、該ピストンのピストンロッドには該ピストンが該上昇限界に達したとき「０」になり、「０」から上方に向かって順次数字が大きくなるように目盛を表示したことを特徴とする液体計量装置。
【請求項３】
前記シリンダにおける下端の外面に環状体を固定し、該環状体を介して前記容器の上端をシリンダの下端に嵌着したことを特徴とする請求項１又は２に記載の液体計量装置。
【発明の詳細な説明】
【技術分野】
【０００１】
本発明は、液体計量装置に関するものであり、例えば、園芸、農業等において殺虫剤、消毒剤等を作る際の原液の計量、調理における醤油、酢等の調味液の計量、化学実験における液体の計量等に用いられる液体計量装置に係るものである。
【背景技術】
【０００２】
液体計量装置としては、例えば実用新案登録第３０６９５３３号公報に示すように、下端に吸排口を形成したスポイト管における上端に圧縮と開放による吸排作用をなす袋部を備えさせ、該スポイト管の外面に目盛を付してなるスポイトが知られている。
【０００３】
また、液体計量装置としては、下端に吸排口を形成したシリンダ内にピストンを摺嵌し、該シリンダの外面に目盛を付してなる注射器状の計量装置も知られている。
【特許文献１】実用新案登録第３０６９５３３号公報
【発明の開示】
【発明が解決しようとする課題】
【０００４】
しかるに、上記スポイトにより液体を計量する際には、袋部を圧縮した状態で吸排口を液体中に位置させ、該袋部を開放することにより液体を所望の液量に対応する目盛までスポイト管内に吸い上げるようにしている。従って、上記のスポイトにおいては、液体を正確に計量することができない。
【０００５】
また、上記スポイトにおいては、液体の計量後、スポイト管の内面を洗浄することが困難である。
【０００６】
一方、上記注射器状の計量装置においては、ピストンをシリンダ内における吸排口側端まで一杯に押し込んだときにピストンの位置が「０」になり、「０」から上方に向かって（即ち、ピストンをシリンダから引き抜く方向に）順次数字が大きくなるようにシリンダの外面に目盛が表示されている。
【０００７】
上記注射器状の計量装置により液体を計量する際には、ピストンをシリンダ内における吸排口側端まで一杯に押し込み、ピストンが目盛「０」の位置になった状態でシリンダ下端の吸排口を液体中に位置させ、ピストンが所望の液量に対応する目盛の位置に達するまでピストンを引き上げるようにしている。
【０００８】
従って、上記注射器状の計量装置においては、計量時に液体がシリンダ内に吸い上げられるため、液体の計量後、シリンダの内面を洗浄する必要がある。シリンダの内面を洗浄する作業は面倒である。
【０００９】
また、液体の計量後、ピストンをシリンダ内における吸排口側端まで一杯に押し込んでも、液体は吸排口付近に残存する。けだし、ピストンをシリンダ内における吸排口側端まで一杯に押し込んでも、ピストンは元の目盛「０」の位置まで戻るに過ぎないのであり、その位置を越えて液体を押し出すことができないからである。従って、上記注射器状の計量装置においては、正確な体積の液体を得ることができない。換言すれば、液体を正確に計量することができない。
【００１０】
本発明は、上記従来の技術における上述の如き問題を解決し、液体を正確に計量することができ、かつ、使用後の洗浄が容易な液体計量装置を提供するものである。
【課題を解決するための手段】
【００１１】
上記課題を解決するために、本発明は下記の液体計量装置を提供する。
【００１２】
（１）下端を開口したシリンダ内にピストンを摺嵌し、該シリンダの下端に容器の上端を着脱自在に嵌着し、該容器は該上端を開口すると共に下端に吸排口を備え、該シリンダにはピストンの上昇限界を設定するストッパを設け、該シリンダにはピストンが該上昇限界に達したときにピストンの位置が「０」になり、「０」から下方に向かって順次数字が大きくなるように目盛を表示したことを特徴とする液体計量装置（請求項１）。
【００１３】
（２）下端を開口したシリンダ内にピストンを摺嵌し、該シリンダの下端に容器の上端を着脱自在に嵌着し、該容器は該上端を開口すると共に下端に吸排口を備え、該シリンダにはピストンの上昇限界を設定するストッパを設け、該ピストンのピストンロッドには該ピストンが該上昇限界に達したとき「０」になり、「０」から上方に向かって順次数字が大きくなるように目盛を表示したことを特徴とする液体計量装置（請求項２）。
【００１４】
（３）前記シリンダにおける下端の外面に環状体を固定し、該環状体を介して前記容器の上端をシリンダの下端に嵌着する（請求項３）。
【発明の効果】
【００１５】
［請求項１の発明］
請求項１の液体計量装置により液体を計量する際には、ピストンを所望の液量に対応する目盛の位置に合わせた状態で容器の吸排口を液体中に位置させ、ピストンをストッパにより設定される上昇限界まで引き上げればよい。しかるときは、容器内に所望の体積の液体が入る。従って、液体を計量する作業は極めて容易である。
【００１６】
また、ピストンをシリンダ内における下端方向に一杯に押し込んだときには、容器内の液体を該容器から完全に排出させることができる。けだし、ピストンは所望の液量に対応する目盛の前記位置を越えてシリンダ内における下端方向に一杯に押し込むことができるからである。従って、この液体計量装置によれば、正確な体積の液体を得ることができる。換言すれば、液体を正確に計量することができる。
【００１７】
更に、シリンダに比べて容器の容量を大きくすれば、シリンダ内に液体が吸い上げられることがない。従って、シリンダの内面を洗浄する必要がない。
【００１８】
容器はシリンダから取り外すことができるため、該容器は容易に洗浄することができる。
【００１９】
容器は目盛を有するものではなく、精度を要しないため、洗浄のし易さ、必要な容量等を考慮し、随意の形状とすることができる。
【００２０】
［請求項２の発明］
請求項２の発明は、目盛をシリンダではなくピストンロッドに「０」から上方に向かって順次数字が大きくなるように表示しているが、請求項１の発明と同様にして使用され、請求項１の発明と同様の効果を発揮する。
【００２１】
［請求項３の発明］
シリンダにおける下端の外面に環状体を固定し、該環状体を介して容器の上端をシリンダの下端に嵌着するようにしたため、容器の上端を大きく開口させることができる。従って、容器の洗浄は一層容易である。
【発明を実施するための最良の形態】
【００２２】
符号１に示すものはシリンダである。
【００２３】
シリンダ１は、例えばポリエチレン等の合成樹脂、ガラス等により好ましくは透明ないし半透明に形成する。
【００２４】
シリンダ１は下端３を開口し、シリンダ１内にピストン５を摺嵌する。シリンダ１の下端３はその全面を開口してもよいが、該下端３の一部のみを開口してもよい。ピストン５はシリンダ１の内面に隙間なく摺嵌される。
【００２５】
符号７に示すものはピストンロッドである。ピストン５とピストンロッド７とは、好ましくは、ポリエチレン等の合成樹脂により一体的に形成する。ピストンロッド７の上端には、該ピストンロッド７を上下動させる際に指で操作するための操作部９を備えさせる。
【００２６】
シリンダ１の上端には、ピストンロッド７を操作する際に指を係止するための突縁１１を備えさせる。
【００２７】
シリンダ１の下端３には容器１３の上端１５を着脱自在に嵌着する。
【００２８】
容器１３は上端１５を開口すると共に下端に吸排口１７を備えている。
【００２９】
容器１３は、開口した上端１５がシリンダ１の下端３に密着する必要があるが、容器１３の形状、寸法、材質等は随意である。
【００３０】
図８に示す事例においては、シリンダ１における下端３の外面に環状体１８を固定し、該環状体１８を介して容器１３の上端１５をシリンダ１の下端３に嵌着している。
【００３１】
シリンダ１にはピストン５の上昇限界を設定するストッパ１９を設ける。該ストッパ１９は、一例としてシリンダ１の内面上部に設ける。図１に示す事例においては、ピストン５は、ストッパ１９に当接したときには該ストッパ１９によりそれ以上の上昇が阻止される。
【００３２】
シリンダ１には目盛２１を表示する。目盛２１は好ましくはシリンダ１の外面に設ける。
【００３３】
目盛２１は、図１、図２に示す事例においては、ピストン５がストッパ１９に当接したときにピストン５の位置が「０」になり、「０」から下方に向かって（即ち、ピストン５をシリンダ１内に押し込む方向に）順次数字が大きくなるようにしたものである。換言すれば、目盛２１は、上記従来の注射器状の計量装置における目盛と逆方向に数字が付されている。
【００３４】
図１、図２に示す事例における目盛２１は、シリンダ１内のピストン５の位置に対応する数字をシリンダ１の外方から読むものである。
【００３５】
図１、図２に示す目盛２１の「０」〜「１０」の数字は、ミリリットル（ｃｃ）を単位とするものである。
【００３６】
例えば、６ミリリットルの液体を得たい場合には、ピストン５を「６」の目盛２１に合わせた状態で、容器１３下端の吸排口１７を収納体２３に収納された液体２４中に位置させ、ピストン５をストッパ１９に当接するまで引き上げるのである。しかるときは、容器１３内に６ミリリットルの液体が入る。図１参照。
【００３７】
図９、図１０に示す事例においては、ピストン５の上昇限界を設定するストッパ１９は、シリンダ１の上端２に嵌着したキャップ２５である。ピストン５のピストンロッド７には該ピストン５が該上昇限界に達したとき「０」になり、「０」から上方に向かって（即ち、ピストン５を引き上げる方向に）順次数字が大きくなるように目盛２１を表示している。この事例においては、シリンダ１は金属等の不透明材料により形成してもよい。符号２７に示すものはピストンロッド７の操作部９上に備えさせた指入れである。
【００３８】
図９、図１０に示す事例における目盛２１は、キャップ２５の上面に対応する数字を読むものである。
【００３９】
図９、図１０に示す事例においては、例えば、６ミリリットルの液体を得たい場合には、目盛２１が「６」になるようにピストン５の位置を調整した状態で、容器１３下端の吸排口１７を収納体２３に収納された液体２４中に位置させ、ピストン５をストッパ１９（キャップ２５の下面）に当接するまで引き上げるのである。しかるときは、容器１３内に６ミリリットルの液体が入る。
【００４０】
なお、図７における符号２９に示すものは水道の蛇口である。
【図面の簡単な説明】
【００４１】
【図１】本発明による液体計量装置の一例の使用状態を示す断面図である。
【図２】同上液体計量装置を分解して示す斜視図である。
【図３】容器の別の一例を示す斜視図である。
【図４】容器の更に別の一例を示す斜視図である。
【図５】容器の更に別の一例を示す斜視図である。
【図６】容器の更に別の一例を示す斜視図である。
【図７】容器を水道水により洗浄している状態を示す斜視図である。
【図８】容器の上端を環状体を介してシリンダの下端に嵌着した状態を示す断面図である。
【図９】本発明による液体計量装置の別の一例を示す断面図である。
【図１０】同上液体計量装置におけるピストンを押し下げた状態を示す断面図である。
【符号の説明】
【００４２】
１  シリンダ
２  上端
３  下端
５  ピストン
７  ピストンロッド
９  操作部
１１  突縁
１３  容器
１５  上端
１７  吸排口
１８  環状体
１９  ストッパ
２１  目盛
２３  収納体
２４  液体
２５  キャップ
２７  指入れ
２９  蛇口
【図１】
2008122229.tif 000003
【図２】
2008122229.tif 000004
【図３】
2008122229.tif 000005
【図４】
2008122229.tif 000006
【図５】
2008122229.tif 000007
【図６】
2008122229.tif 000008
【図７】
2008122229.tif 000009
【図８】
2008122229.tif 000010
【図９】
2008122229.tif 000011
【図１０】
2008122229.tif 000012